(57)【要約】【課題】容易に且つ確実にガラスに断熱性（耐火性能）を付与することができる断熱フィルムシート及び防耐火ガラス並びにガラスの断熱性付与方法を提供する。【解決手段】ガラスの表面に貼り付けてガラスに断熱性を付与するための断熱フィルムシート１を、一対の樹脂系フィルムシート２、３の間に発泡性断熱材４を介装して形成する。そして、この断熱フィルムシート１を建物の既存のガラスの表面に貼り付けるという簡易な操作で、既存のガラスに断熱性（耐火性能）を付与し、この既存のガラスを防耐火ガラスにする。【選択図】図１
2008238645.tif 000002
【特許請求の範囲】
【請求項１】
ガラスの表面に貼り付けて該ガラスに断熱性を付与するための断熱フィルムシートであって、
一対の樹脂系フィルムシートの間に発泡性断熱材が介装されてなることを特徴とする断熱フィルムシート。
【請求項２】
請求項１記載の断熱フィルムシートにおいて、
前記ガラスの表面に貼り付けられる一方の樹脂系フィルムシートの外面に粘着性物質が塗布されて、粘着層が形成されていることを特徴とする断熱フィルムシート。
【請求項３】
ガラスの表面に、一対の樹脂系フィルムシートの間に発泡性断熱材が介装されてなる断熱フィルムシートを一体に貼り付けたことを特徴とする防耐火ガラス。
【請求項４】
ガラスの表面に、一対の樹脂系フィルムシートの間に発泡性断熱材が介装されてなる断熱フィルムシートを貼り付けて、前記ガラスに断熱性を付与することを特徴とするガラスの断熱性付与方法。
【発明の詳細な説明】
【技術分野】
【０００１】
本発明は、ガラスの表面に貼り付けられて該ガラスに断熱性を付与するための断熱フィルムシート及び該断熱フィルムシートを貼り付けてなる防耐火ガラス並びにガラスの断熱性向上方法に関する。
【背景技術】
【０００２】
従来、火災発生時に高温で加熱されても割れることがなく、さらなる火災の拡大を抑制できるため、例えば一般住宅やオフィスビルなどの建物のガラス窓、ガラス扉、ガラス壁等に防耐火ガラスが用いられている。この種の防耐火ガラスには、例えば、一対の耐熱強化ガラスの間にけい酸ソーダなどの発泡性断熱材を一体に介装し、複層ガラス化して構成したものがある（例えば、特許文献１参照）。そして、このように構成した防耐火ガラスを建物のガラス窓、ガラス扉、ガラス壁などに適用した場合には、火災発生時に例えば１２０℃を超える高温で加熱されるとともに、発泡性断熱材が発泡して断熱性を発現し、さらに輻射熱を遮断して破損を防止でき、火災の拡大を確実に抑制することが可能になる。
【特許文献１】実開昭６３−３７１０号公報
【発明の開示】
【発明が解決しようとする課題】
【０００３】
しかしながら、火災時の高温の加熱によって割れてしまう一般ガラスをガラス窓、ガラス扉、ガラス壁などに用いている建物も多く、このような建物に耐火性能を付与するために上記の防耐火ガラスを適用する場合には、既存のガラスを全て防耐火ガラスに交換せざるを得ず、上記の防耐火ガラスが一対の耐熱強化ガラスの間に発泡性断熱材を一体に介装して形成されるため、高価であり、経済的な負担が大きくなってしまうという問題があった。このため、既存の一般ガラスに断熱性（耐火性能）を付与して、経済的に耐火性能を付与する手法が強く望まれていた。
【０００４】
本発明は、上記事情を鑑み、容易に且つ確実にガラスに断熱性（耐火性能）を付与することができる断熱フィルムシート及び防耐火ガラス並びにガラスの断熱性付与方法を提供することを目的とする。
【課題を解決するための手段】
【０００５】
上記の目的を達するために、この発明は以下の手段を提供している。
【０００６】
本発明の断熱フィルムシートは、ガラスの表面に貼り付けて該ガラスに断熱性を付与するための断熱フィルムシートであって、一対の樹脂系フィルムシートの間に発泡性断熱材が介装されてなることを特徴とする。
【０００７】
この発明においては、一対の樹脂系フィルムシートの間に発泡性断熱材が介装されているため、この断熱フィルムシートを例えば建物の既存のガラスの表面（片面あるいは両面）に貼り付けるという簡易な方法で、容易に既存のガラスの断熱性（耐火性能）を向上させることができる。
【０００８】
また、本発明の断熱フィルムシートにおいては、前記ガラスの表面に貼り付けられる一方の樹脂系フィルムシートの外面に粘着性物質が塗布されて、粘着層が形成されていることが望ましい。
【０００９】
この発明においては、一方の樹脂系フィルムシートの外面に粘着層が形成されているため、ガラスの表面に容易に貼り付けることができる。
【００１０】
本発明の防耐火ガラスは、ガラスの表面に、一対の樹脂系フィルムシートの間に発泡性断熱材が介装されてなる断熱フィルムシートを一体に貼り付けたことを特徴とする。
【００１１】
この発明においては、ガラスの表面（片面あるいは両面）に断熱フィルムシートを一体に貼り付けることによって、一般ガラスを適用した場合においても確実に断熱性に優れた防耐火ガラスを形成することができる。
【００１２】
本発明のガラスの断熱性付与方法は、ガラスの表面に、一対の樹脂系フィルムシートの間に発泡性断熱材が介装されてなる断熱フィルムシートを貼り付けて、前記ガラスに断熱性を付与することを特徴とする。
【００１３】
この発明においては、一対の樹脂系フィルムシートの間に発泡性断熱材が介装されているため、この断熱フィルムシートを例えば建物の既存のガラスの表面（片面あるいは両面）に貼り付けるという簡易な方法で、容易に且つ確実に既存のガラスの断熱性（耐火性能）を向上させることができる。
【発明の効果】
【００１４】
本発明の断熱フィルムシート及び防耐火ガラス並びにガラスの断熱性付与方法によれば、一般ガラスの断熱性を確実に向上させることができるため、建物の断熱化を図る場合に、既存のガラスをそのまま適用することも可能になり、経済的な負担を大幅に軽減することが可能になる。
【００１５】
また、一般ガラスの表面に断熱フィルムシートを貼り付けることで、この一般ガラスを断熱性（耐火性能）に優れる防耐火ガラスにすることができるため、安価に防耐火ガラスを形成することが可能になり、建物の耐火性能を向上させるために既存のガラスを全て防耐火ガラスに交換するような場合においても、経済的な負担を大幅に軽減することができる。
【発明を実施するための最良の形態】
【００１６】
以下、図１及び図２を参照し、本発明の一実施形態に係る断熱フィルムシート及び防耐火ガラス並びにガラスの断熱性付与方法について説明する。本実施形態は、例えば一般住宅やオフィスビルなどの建物のガラス窓、ガラス扉、ガラス壁等に対し、容易に且つ確実に耐火性能（断熱性）を付与することが可能な断熱フィルムシート及び防耐火ガラス並びにガラスの断熱性付与方法に関するものである。
【００１７】
本実施形態の断熱フィルムシート１は、図１に示すように、一対の樹脂系フィルムシート２、３の間に発泡性断熱材４を介装して、すなわち、２枚の樹脂系フィルムシート２、３の間に発泡性断熱材４を挟んで一体形成して構成されている。
【００１８】
一対の樹脂系フィルムシート２、３は、それぞれ、例えば透明で、ある程度強度を有する樹脂を用いて形成されている。例えばポリカーボネート、ポリエステル、ポリプロピレン、ポリアミド、ポリイミド、ポリエーテルイミドなどを用いて形成されることが好ましい。また、ガラスへの貼り付け時の作業性が悪くならない程度の厚さ、例えば数十μｍから数ｍｍ程度の厚さで形成されている。
【００１９】
さらに、本実施形態においては、ガラスの表面に貼り付けられる一方の樹脂系フィルムシート３の外面３ａに粘着性物質が塗布されて、粘着層５が形成されている。この粘着層５は、例えばアクリル樹脂系の透明且つ耐熱性に優れた粘着性物質（接着剤や粘着剤）を５０〜５００μｍ程度の厚さで塗布して形成されることが、貼り付けの作業性や透明性を確保する点から好ましい。
【００２０】
一方、発泡性断熱材４は、例えばけい酸ソーダ、窒素りん酸化合物などの火災時の加熱によって発泡し断熱性を発現するものとされ、火災時の熱を確実に断熱することができ、貼り付けの作業性や透明性を確保できるような厚さで一対の樹脂系フィルムシート２、３の間に介装されている。なお、発泡性断熱材４は、発泡前の厚さが例えば１ｍｍ以下であることが望ましいが、所望の断熱性（耐火性能）を発現するように適宜その厚さが決められればよい。
【００２１】
上記のように構成した本実施形態の断熱フィルムシート１は、図２に示すように、建物のガラス窓、ガラス扉、ガラス壁などの既存のガラス（既存の一般ガラス）Ｇの表面Ｇ１、Ｇ２、すなわち既存のガラスＧの室内側と室外側を向くいずれか一方の面（片面）Ｇ１あるいは両面Ｇ１、Ｇ２（本実施形態では両面Ｇ１、Ｇ２）に、一方の樹脂系フィルムシート３の外面３ａに塗布して形成した粘着層５を接着させて貼り付けられる（ガラスの断熱性付与方法）。
【００２２】
このように断熱フィルムシート１を貼り付けることにより既存のガラスＧの表面Ｇ１、Ｇ２が断熱フィルムシート１で被覆され、例えば建物の室内で火災が発生した場合においても、ガラスＧよりも先に断熱フィルムシート１が火災時の熱で加熱される。そして、このように、ガラスＧに先立って高温で加熱される断熱フィルムシート１が、加熱とともに発泡性断熱材４が発泡して断熱性を発現し、且つ輻射熱を遮断する。これにより、ガラスＧに高温の熱が伝達することがなく、火災に伴ってこのガラスＧに破損が生じることがない。よって、既存のガラスＧの表面Ｇ１、Ｇ２に本実施形態の断熱フィルムシート１を貼り付けるという簡易な操作で、容易に且つ確実に断熱性（耐火性能）が付与され、既存のガラスＧを防耐火ガラスにすることができ、このように形成した防耐火ガラスによって、火災時のガラスＧの破損が防止され、火災の拡大が抑制されることになる。
【００２３】
したがって、本実施形態の断熱フィルムシート１及びこの断熱フィルムシート１を貼り付けて形成される防耐火ガラス並びにガラスＧの断熱性付与方法においては、一対の樹脂系フィルムシート２、３の間に発泡性断熱材４を介装して断熱フィルムシート１が構成され、このように構成した断熱フィルムシート１を例えば建物の既存のガラスＧの表面（片面あるいは両面）Ｇ１、Ｇ２に貼り付けるという簡易な方法で、既存のガラスＧに耐火性能を付与することができる。また、一方の樹脂系フィルムシート３の外面３ａに粘着層５が形成されていることにより、ガラスＧの表面Ｇ１、Ｇ２に容易に貼り付けることができ、このように断熱フィルムシート１を貼り付けることで、容易に且つ確実に既存のガラスＧを断熱性に優れた防耐火ガラスにすることができる。
【００２４】
よって、建物の耐火性能を向上させる際に、一対の耐熱強化ガラスの間に発泡性断熱材を一体に介装して構成した従来の防耐火ガラスと比較し、既存のガラスＧをそのまま利用することができ、経済的な負担を大幅に軽減することが可能になる。
【００２５】
以上、本発明に係る断熱フィルムシート及びこの断熱フィルムシートを貼り付けてなる防耐火ガラス並びにガラスの断熱性付与方法の実施形態について説明したが、本発明は上記の一実施形態に限定されるものではなく、その趣旨を逸脱しない範囲で適宜変更可能である。例えば、本実施形態では、建物の既存のガラスＧに断熱フィルムシート１を貼り付けて、この既存のガラスＧに耐火性能を付与するものとしたが、一般ガラスＧに断熱フィルムシート１を貼り付けて別途防耐火ガラスを形成し、この防耐火ガラスを建物の既存のガラスＧと交換して建物に耐火性能を付与してもよい。この場合においては、一般ガラスＧに断熱フィルムシート１を貼り付けるという簡便な操作で防耐火ガラスを形成することができるため、従来の防耐火ガラスと比較して安価に防耐火ガラスを形成でき、たとえ建物の既存のガラスＧと交換して建物に耐火性能を付与するようにした場合においても、経済的な負担を大幅に軽減して建物に耐火性能を付与することが可能である。
【００２６】
また、本実施形態では、断熱フィルムシート１が、一方の樹脂系フィルムシート３の外面３ａに粘着性物質を塗布して形成した粘着層５を備えるものとしたが、必ずしも粘着層５を備えていなくてもよく、断熱フィルムシート１を貼り付ける際に、一方の樹脂系フィルムシート３の外面３ａあるいはガラスＧの表面Ｇ１、Ｇ２に接着剤や粘着剤を塗布して貼り付けてもよい。
【図面の簡単な説明】
【００２７】
【図１】本発明の一実施形態に係る断熱フィルムシートを示す図である。
【図２】本発明の一実施形態に係る断熱フィルムシートを貼り付けてなる防耐火ガラスを示す図である。
【符号の説明】
【００２８】
１      断熱フィルムシート
２      樹脂系フィルムシート
３      樹脂系フィルムシート（一方の樹脂系フィルムシート）
３ａ    外面
４      発泡性断熱材
５      粘着層
【図１】
2008238645.tif 000003
【図２】
2008238645.tif 000004